(57)【要約】【課題】必要に応じて空気清浄機能を有効にさせることができ、エアフィルタと空気清浄フィルタとを別個に交換できる空気調和機を提供すること。【解決手段】本発明の空気調和機は、吸込口１１と、吸込口１１から空気を吸い込ませるファン２０と、吸込口１１から吸い込まれた空気と熱交換する熱交換器３０と、熱交換器３０により熱交換された空気が吹き出す吹出口１２と、ファン２０の上流側の空気流路６０に配置されているエアフィルタ７０と、エアフィルタ７０とは別体として形成され配置されている空気清浄フィルタ８０Ａと、空気清浄フィルタ８０Ａの配置位置を移動させる移動装置９０Ａと、を備えたことを特徴とする。【選択図】        図１
2018151081.tif 000002
【特許請求の範囲】
【請求項１】
吸込口と、前記吸込口から空気を吸い込ませるファンと、前記吸込口から吸い込まれた空気と熱交換する熱交換器と、前記熱交換器により熱交換された空気が吹き出す吹出口と、前記ファンの上流側の空気流路に配置されているエアフィルタと、前記エアフィルタとは別体として形成され配置されている空気清浄フィルタと、前記空気清浄フィルタの配置位置を移動させる移動装置と、を備えたことを特徴とする空気調和機。
【請求項２】
前記空気清浄フィルタを前記エアフィルタより上流側に配置したことを特徴とする請求項１に記載の空気調和機。
【請求項３】
前記移動装置を前記エアフィルタより上流側に配置したことを特徴とする請求項１又は請求項２に記載の空気調和機。
【請求項４】
前記移動装置は、前記空気清浄フィルタの形状を変形させることなく、前記空気清浄フィルタの前記配置位置を移動させることを特徴とする請求項１から請求項３のいずれか１項に記載の空気調和機。
【請求項５】
前記空気清浄フィルタの少なくとも一部は、円弧状または湾曲状であることを特徴とする請求項１から請求項４のいずれか１項に記載の空気調和機。
【請求項６】
前記空気清浄フィルタは、複数枚に分割され形成されていることを特徴とする請求項１から請求項３のいずれかに記載の空気調和機。
【請求項７】
前記移動装置による前記空気清浄フィルタの前記配置位置の移動を指示する操作スイッチを備え、
使用者が前記操作スイッチを操作した場合に、前記移動装置は、前記空気清浄フィルタの前記配置位置を移動させることを特徴とする請求項１から請求項６のいずれか１項に記載の空気調和機。
【請求項８】
空気に含まれる塵埃の少なくとも有無を検知する塵埃検知センサを備え、
前記塵埃検知センサによる検知結果に基づいて、前記移動装置は、前記空気清浄フィルタの前記配置位置を移動させることを特徴とする請求項１から請求項６のいずれか１項に記載の空気調和機。
【請求項９】
前記吸込口から吸い込まれた空気が、前記エアフィルタと前記熱交換器とを通過し前記熱交換器と熱交換する第１の運転モードと、前記移動装置が、前記空気清浄フィルタの前記配置位置を移動させ、前記吸込口から吸い込まれた空気が、少なくとも前記エアフィルタと前記空気清浄フィルタとを通過する第２の運転モードと、を少なくとも有し、
前記第２の運転モードにおける前記ファンの設定回転数を、前記第１の運転モードにおける前記ファンの少なくとも最低設定回転数よりも大きくしたことを特徴とする請求項１から請求項８のいずれか１項に記載の空気調和機。
【発明の詳細な説明】
【技術分野】
【０００１】
本発明は、エアフィルタとは別に空気清浄フィルタを備えた空気調和機に関する。
【背景技術】
【０００２】
特許文献１は、気流の通風抵抗を増やさずに気流の清浄度を高めることができる空気調和機を提案している。
特許文献１は、気流の通路の横断面に開口面を区画する筐体と、第１区画に粗塵用フィルタを第２区画に空気清浄フィルタを有するエアフィルタと、開口面に空気清浄フィルタを配置する第１位置、および、開口面から少なくとも部分的に空気清浄フィルタをずらす第２位置との間でエアフィルタを駆動する駆動部材とを備えている。
そして、特許文献１の空気調和機によれば、開口面に空気清浄フィルタが位置すると、気流は空気清浄フィルタを通過することで空気清浄機能は実現される。また、開口面から空気清浄フィルタがずらされると、開口面には粗塵用フィルタが位置し、粗塵用フィルタがエアフィルタとして機能するため、通風抵抗の増大は回避される。このように、必要なときにだけ空気清浄機能が実現されることで、空気調和機は通風抵抗の増加を抑制しつつ気流の清浄度を高めることができる。
【先行技術文献】
【特許文献】
【０００３】
【特許文献１】特開２０１６−１８３７９４号公報
【発明の概要】
【発明が解決しようとする課題】
【０００４】
しかし、特許文献１の空気調和機では、粗塵用フィルタと空気清浄フィルタとがエアフィルタとして一体であるため、空気清浄フィルタは、粗塵用フィルタとともに交換する必要がある。
従って、エアフィルタの交換に伴う費用が増大してしまう。また、エアフィルタの移動に伴い空気清浄フィルタが屈伸されるため、空気清浄フィルタの劣化を早めてしまう。
【０００５】
そこで本発明は、必要に応じて空気清浄機能を有効にさせることができ、エアフィルタと空気清浄フィルタとを別個に交換できる空気調和機を提供することを目的とする。
【課題を解決するための手段】
【０００６】
請求項１記載の本発明の空気調和機は、吸込口と、前記吸込口から空気を吸い込ませるファンと、前記吸込口から吸い込まれた空気と熱交換する熱交換器と、前記熱交換器により熱交換された空気が吹き出す吹出口と、前記ファンの上流側の空気流路に配置されているエアフィルタと、前記エアフィルタとは別体として形成され配置されている空気清浄フィルタと、前記空気清浄フィルタの配置位置を移動させる移動装置と、を備えたことを特徴とする。
請求項２記載の本発明は、請求項１に記載の空気調和機において、前記空気清浄フィルタを前記エアフィルタより上流側に配置したことを特徴とする。
請求項３記載の本発明は、請求項１又は請求項２に記載の空気調和機において、前記移動装置を前記エアフィルタより上流側に配置したことを特徴とする。
請求項４記載の本発明は、請求項１から請求項３のいずれか１項に記載の空気調和機において、前記移動装置は、前記空気清浄フィルタの形状を変形させることなく、前記空気清浄フィルタの前記配置位置を移動させることを特徴とする。
請求項５記載の本発明は、請求項１から請求項４のいずれか１項に記載の空気調和機において、前記空気清浄フィルタの少なくとも一部は、円弧状または湾曲状であることを特徴とする。
請求項６記載の本発明は、請求項１から請求項３のいずれか１項に記載の空気調和機において、前記空気清浄フィルタは、複数枚に分割され形成されていことを特徴とする。
請求項７記載の本発明は、請求項１から請求項６のいずれか１項に記載の空気調和機に記載の空気調和機において、前記移動装置による前記空気清浄フィルタの前記配置位置の移動を指示する操作スイッチを備え、使用者が前記操作スイッチを操作した場合に、前記移動装置は、前記空気清浄フィルタの前記配置位置を移動させることを特徴とする。
請求項８記載の本発明は、請求項１から請求項６のいずれか１項に記載の空気調和機に記載の空気調和機において、空気に含まれる塵埃の少なくとも有無を検知する塵埃検知センサを備え、前記塵埃検知センサによる検知結果に基づいて、前記移動装置は、前記空気清浄フィルタの前記配置位置を移動させることを特徴とする。
請求項９記載の本発明は、請求項１から請求項８のいずれか１項に記載の空気調和機に記載の空気調和機において、前記吸込口から吸い込まれた空気が、前記エアフィルタと前記熱交換器とを通過し前記熱交換器と熱交換する第１の運転モードと、前記移動装置が、前記空気清浄フィルタの前記配置位置を移動させ、前記吸込口から吸い込まれた空気が、少なくとも前記エアフィルタと前記空気清浄フィルタとを通過する第２の運転モードと、を少なくとも有し、前記第２の運転モードにおける前記ファンの設定回転数を、前記第１の運転モードにおける前記ファンの少なくとも最低設定回転数よりも大きくしたことを特徴とする。
【発明の効果】
【０００７】
本発明によれば、空気清浄フィルタをエアフィルタとは別体とすることでエアフィルタと空気清浄フィルタとを別個に交換できる。また、移動装置によって空気清浄フィルタを移動させることで、必要に応じて空気清浄機能を有効にさせることができる。
【図面の簡単な説明】
【０００８】
【図１】本発明の一実施例による空気調和機の室内機の縦断面図（第１の運転モード）
【図２】同空気調和機の室内機の縦断面図（第２の運転モード）
【図３】同空気調和機の室内機の縦断面図（第２の運転モード）
【図４】本発明の他の実施例による空気調和機の室内機の縦断面図（第１の運転モード）
【図５】同空気調和機の室内機の縦断面図（第２の運転モード）
【図６】同空気調和機の室内機の縦断面図（第２の運転モード）
【発明を実施するための形態】
【０００９】
本発明の第１の実施の形態による空気調和機は、吸込口と、吸込口から空気を吸い込ませるファンと、吸込口から吸い込まれた空気と熱交換する熱交換器と、熱交換器により熱交換された空気が吹き出す吹出口と、ファンの上流側の空気流路に配置されているエアフィルタと、エアフィルタとは別体として形成され配置されている空気清浄フィルタと、空気清浄フィルタの配置位置を移動させる移動装置とを備えたものである。本実施の形態によれば、空気清浄フィルタをエアフィルタとは別体とすることでエアフィルタと空気清浄フィルタとを別個に交換できる。また、移動装置によって空気清浄フィルタを移動させることで、必要に応じて空気清浄機能を有効にさせることができ、空気の清浄度が高い時には空気調和機は通風抵抗の増加を抑制しつつ、空気の清浄度が低いときは空気清浄機能によって空気の清浄度を高めることができる。
【００１０】
本発明の第２の実施の形態は、第１の実施の形態による空気調和機において、空気清浄フィルタをエアフィルタより上流側に配置したものである。本実施の形態によれば、空気清浄フィルタをエアフィルタと熱交換器との間の空気流路に配置する場合と比較して、冷房運転時における結露による空気清浄フィルタの性能低下を防止できる。
【００１１】
本発明の第３の実施の形態は、第１又は第２の実施の形態による空気調和機において、移動装置をエアフィルタより上流側に配置したものである。本実施の形態によれば、移動装置をエアフィルタと熱交換器との間の空気流路に配置する場合と比較して、冷房運転時における結露による移動装置への影響を少なくでき、更に移動装置による通風抵抗の増加を防止できる。
【００１２】
本発明の第４の実施の形態は、第１から第３のいずれかの実施の形態による空気調和機であって、移動装置は、空気清浄フィルタの形状を変形させることなく、空気清浄フィルタの配置位置を移動させるものである。本実施の形態によれば、空気清浄フィルタの形状を変形させないことで、空気清浄フィルタの劣化を防止できる。
【００１３】
本発明の第５の実施の形態は、第１から第４のいずれかの実施の形態による空気調和機であって、空気清浄フィルタの少なくとも一部は、円弧状または湾曲状である。本実施の形態によれば、空気清浄フィルタを、限られた空間に空気清浄効率良く、配置することができるとともに、移動装置を簡素に構成することができる。
【００１４】
本発明の第６の実施の形態は、第１から第３のいずれかの実施の形態による空気調和機であって、空気清浄フィルタは、複数枚に分割され形成されているものである。本実施の形態によれば、空気清浄能力を最大化することができる。
【００１５】
本発明の第７の実施の形態は、第１から第６のいずれかの実施の形態による空気調和機であって、移動装置による空気清浄フィルタの配置位置の移動を指示する操作スイッチを備え、使用者が操作スイッチを操作した場合に、移動装置は、空気清浄フィルタの配置位置を移動させるものである。本実施の形態によれば、使用者が操作スイッチによって空気清浄機能を有効にさせることができる。
【００１６】
本発明の第８の実施の形態は、第１から第６のいずれかの実施の形態による空気調和機であって、空気に含まれる塵埃の少なくとも有無を検知する塵埃検知センサを備え、塵埃検知センサによる検知結果に基づいて、移動装置は、空気清浄フィルタの配置位置を移動させるものである。本実施の形態によれば、空気の清浄度合いによって空気清浄機能を有効にさせることができる。
【００１７】
本発明の第９の実施の形態は、第１から第８のいずれかの実施の形態による空気調和機であって、吸込口から吸い込まれた空気が、エアフィルタと熱交換器とを通過し熱交換器と熱交換する第１の運転モードと、移動装置が、空気清浄フィルタの配置位置を移動させ、吸込口から吸い込まれた空気が、少なくともエアフィルタと空気清浄フィルタとを通過する第２の運転モードと、を少なくとも有し、第２の運転モードにおけるファンの設定回転数を、第１の運転モードにおけるファンの少なくとも最低設定回転数よりも大きくしたものである。本実施の形態によれば、空気清浄機能を十分に発揮できる風量を確保することができる。
【実施例】
【００１８】
以下本発明の一実施例による空気調和機について説明する。なお、以下の実施例によって本発明が限定されるものではない。
図１から図３は、本実施例による空気調和機の室内機の縦断面図である。
本実施例による空気調和機は、室内機と室外機とから構成される。室内機と室外機とは冷媒配管及び制御配線により接続され、室内機と室外機とによりヒートポンプが構成される。室外機にはコンプレッサが設けられている。室内機は、室内の壁面に取り付けられる。
【００１９】
本実施例による空気調和機の室内機は、吸込口１１と吹出口１２とを形成する本体１と、本体１の前面に設ける前面パネル２とを備えている。
吸込口１１は本体１の上面に形成され、吹出口１２は本体１の下面に形成される。本体１の後面１３は壁面に取り付けられる。
本体１の内部には、吸込口１１から空気を吸い込ませるファン２０と、吸込口１１から吸い込まれた空気と熱交換する熱交換器３０とを設けている。
ファン２０には、貫流ファン（クロスフローファン）が適している。ファン２０は、左右両端のいずれかの回転軸にファンモータを連結している（図示せず）。
【００２０】
ファン２０の下流から吹出口１２の上流に至る下流空気流路４０は、ファン２０の下流に配置されて空気の流れを案内するリアガイダ４１と、このリアガイダ４１に対向して配置されたスタビライザ４２と、本体１の両側壁（図示せず）とで形成されている。
【００２１】
吹出口１２には、上下風向変更羽根５１と左右風向変更羽根５２とを設けている。左右風向変更羽根５２は上下風向変更羽根５１より上流側に配置している。上下風向変更羽根５１は、吹出口１２を開閉し、空気の吹き出しを上下方向に変更する。左右風向変更羽根５２は、空気の吹き出しを左右方向に変更する。
【００２２】
ファン２０の上流側の空気流路６０には、熱交換器３０とエアフィルタ７０と空気清浄フィルタ８０Ａとが配置されている。空気清浄フィルタ８０Ａはエアフィルタ７０とは別体として形成されている。エアフィルタ７０は、比較的大きな塵埃を捕獲することを目的とした租塵用のフィルタである。一方、空気清浄フィルタ８０Ａは、エアフィルタ７０より通風抵抗が大きく、前記エアフィルタ７０を通過するような微粒子を捕獲することを目的としたフィルタであり、プリーツ式や不織布式が好ましい。
移動装置９０Ａは、空気清浄フィルタ８０Ａの形状を変形させることなく、配置されているそのままの形状で、空気清浄フィルタ８０Ａの配置位置を移動させる。移動装置９０Ａは、例えばモータ９１と歯車９２とで構成され、空気清浄フィルタ８０Ａの外枠に形成したラック８１に歯車９２を噛み合わせ、モータ９１で歯車９２を回転されることで空気清浄フィルタ８０Ａを回転移動させる。
空気清浄フィルタ８０Ａの形状を変形させずに空気清浄フィルタ８０Ａの配置位置を移動させることで、空気清浄フィルタ８０Ａの劣化を防止できる。
空気清浄フィルタ８０Ａの少なくとも一部は、円弧状または湾曲状である。空気清浄フィルタ８０Ａの少なくとも一部を円弧状または湾曲状とすることで、空気清浄フィルタ８０Ａを、限られた空間に空気清浄効率良く、配置することができるとともに、移動装置９０Aを簡素に構成することができる。
【００２３】
空気清浄フィルタ８０Ａは、エアフィルタ７０より上流側の空気流路６０に配置する。空気清浄フィルタ８０Ａをエアフィルタ７０より上流側の空気流路６０に配置することで、空気清浄フィルタ８０Ａをエアフィルタ７０と熱交換器３０との間の空気流路６０に配置する場合と比較して、冷房運転時における結露による空気清浄フィルタ８０Ａの性能低下を防止できる。
【００２４】
移動装置９０Ａは、エアフィルタ７０より上流側の空気流路６０に配置することが好ましい。移動装置９０Ａをエアフィルタ７０より上流側の空気流路６０に配置することで、移動装置９０Ａをエアフィルタ７０と熱交換器３０との間の空気流路６０に配置する場合と比較して、冷房運転時における結露による移動装置９０Ａへの影響を少なくでき、更に移動装置９０Ａによる通風抵抗の増加を防止できる。
なお、空気清浄フィルタ８０Ａをエアフィルタ７０より上流側の空気流路６０に配置し、移動装置９０Ａをエアフィルタ７０と熱交換器３０との間の空気流路６０に配置することもできる。
【００２５】
本実施例による空気調和機は、少なくとも冷房運転、暖房運転、及び空気清浄運転を行うことができ、これら運転切り替えは操作装置１００にて使用者が指示を行える。
操作装置１００は、冷房運転を指示する操作スイッチ１０１、暖房運転を指示する操作スイッチ１０２、及び空気清浄運転を指示する操作スイッチ１０３を備えている。
空気清浄運転を指示する操作スイッチ１０３を使用者が操作した場合には、移動装置９０Ａは、空気清浄フィルタ８０Ａの配置位置を移動させる。
このように、移動装置９０Ａによる空気清浄フィルタ８０Ａの配置位置の移動を指示する操作スイッチ１０３を備えることで、使用者は操作スイッチ１０３によって空気清浄機能を有効にさせる空気清浄運転を実行させることができる。
【００２６】
本実施例による空気調和機は、空気に含まれる塵埃の少なくとも有無を検知する塵埃検知センサ１１０を備えている。塵埃検知センサ１１０が検知する空気の清浄度合いの結果に基づいて、移動装置９０Ａは、空気清浄フィルタ８０Ａの配置位置を移動させる。本実施例によれば、塵埃検知センサ１１０が検知する空気の清浄度合いによって、すなわち、塵埃有の場合には空気清浄機能を有効にさせる空気清浄運転を実行させることができる。
【００２７】
本実施例による空気調和機は、吸込口１１から吸い込まれた空気が、エアフィルタ７０を通過して熱交換器３０と熱交換する第１の運転モードと、移動装置９０Ａが、空気清浄フィルタ８０Ａの配置位置を移動させ、吸込口１１から吸い込まれた空気が、エアフィルタ７０と空気清浄フィルタ８０Ａと熱交換器３０とを通過する第２の運転モードとを少なくとも有している。
操作スイッチ１０１を使用者が操作した場合に行われる冷房運転、及び操作スイッチ１０２を使用者が操作した場合に行われる暖房運転は、第１の運転モードである。
操作スイッチ１０３を使用者が操作した場合に行われる空気清浄運転は、第２の運転モードである。
第２の運転モードにおけるファン２０の設定回転数は、第１の運転モードにおけるファン２０の少なくとも最低設定回転数よりも大きくする。例えば、第１の運転モードにおけるファン２０が、「弱」「中」「強」の回転数に変更できる場合に、第２の運転モードにおけるファン２０の設定回転数は、少なくとも「中」の回転数とするか、「弱」の回転数よりも大きく「中」の回転数よりも小さな回転数とする。
このように、第２の運転モードにおけるファン２０の設定回転数を、第１の運転モードにおけるファン２０の少なくとも最低設定回転数よりも大きくすることで、空気清浄フィルタ８０Ａによる通風抵抗の増加による、吹出口１２からの吹出風量低下を防止し、空気清浄機能を十分に発揮できる風量を確保することができる。
【００２８】
以上のように構成された空気調和機について、以下その動作について説明する。なお、第１の運転モード及び第２の運転モードでは、いずれも上下風向変更羽根５１は吹出口１２を開いた状態にあるが、図１から図３では、いずれも空気清浄フィルタ８０Ａの動作だけを示している。
【００２９】
図１は、空気調和機の空調運転停止時及び第１の運転モード時を示している。
空調運転停止時及び第１の運転モード時の状態においては、空気清浄フィルタ８０Ａは、本体１内、すなわち略空気流路６０外に収納されている。
収納状態では、空気清浄フィルタ８０Ａは、前面パネル２の内方に配置され、空気清浄フィルタ８０Ａの上端側に歯車９２が位置する。
従って、空気清浄フィルタ８０Ａは、エアフィルタ７０の上流側の吸込口１１、すなわち空気流路６０を覆わない。この状態では、空気清浄機能は働かない。
【００３０】
図２及び図３は、空気調和機の第２の運転モード時を示している。
図２では、空気清浄フィルタ８０Ａの一部が、エアフィルタ７０の上流側の吸込口１１、すなわち空気流路６０の一部を覆い、図３では、空気清浄フィルタ８０Ａの全てが、エアフィルタ７０の上流側の吸込口１１、すなわち空気流路６０の一部を覆っている。
図２の状態では、空気清浄フィルタ８０Ａの中央部分に歯車９２が位置し、図３の状態では、空気清浄フィルタ８０Ａの下端側に歯車９２が位置する。
【００３１】
モータ９１を正回転させることで、空気清浄フィルタ８０Ａは、図１の状態から図２の状態に回動し、形状が変形することなく、配置されているそのままの形状で配置位置が移動し、更にモータ９１を正回転させることで、空気清浄フィルタ８０Ａは、図２の状態から図３の状態に回動し、形状が変形することなく、配置されているそのままの形状で配置位置が移動する。つまり、吸込口１１、すなわち、空気流路６０を覆う流路面積が大きくなる方向に、空気清浄フィルタ８０Ａは配置移動する。
また、モータ９１を逆回転させることで、空気清浄フィルタ８０Ａは、図３の状態から図２の状態に回動し、形状が変形することなく、配置されているそのままの形状で配置位置が移動し、更にモータ９１を逆回転させることで、空気清浄フィルタ８０Ａは、図２の状態から図１の状態に回動し、形状が変形することなく、配置されているそのままの形状で配置位置が移動する。つまり、吸込口１１、すなわち、空気流路６０を覆う流路面積が小さくなる方向に、空気清浄フィルタ８０Ａは配置移動する。
【００３２】
塵埃検知センサ１１０による検知結果で清浄するか否かを判断して、移動装置９０Ａが、空気清浄フィルタ８０Ａの配置位置を図１の状態と図３の状態とで移動させるものであってもよいが、塵埃検知センサ１１０による検知結果で、空気の清浄度合いを更に判断して、第２の運転モードを、図２に示す空気清浄フィルタ８０Ａの配置位置と、図３に示す空気清浄フィルタ８０Ａの配置位置とに切り替えてもよい。
また、空気清浄運転を指示する操作スイッチ１０３で、強運転と弱運転との切り替えを指示できるようにして、強運転が指示された場合には、図３に示す空気清浄フィルタ８０Ａの配置位置とし、弱運転が指示された場合には、図２に示す空気清浄フィルタ８０Ａの配置位置としてもよい。
また、本実施例では、第２の運転モードにおける空気清浄フィルタ８０Ａの配置位置を、図２の状態と図３の状態との２段階で説明したが、３段階以上の配置位置とすることもできる。
本実施例によれば、空気清浄フィルタ８０Ａを、限られた空間に収納できるとともに、空気の清浄度合いに応じて空気清浄機能運転の実行の切り替えを行うことができる。
【００３３】
図４から図６は、本発明の他の実施例による空気調和機の室内機の縦断面図である。図１から図３に示す部材と同一機能部材には同一符号を付して説明を省略する。
本実施例では、空気清浄フィルタ８０Ｂは、３枚に分割されて形成されている。分割された空気清浄フィルタ８０Ｂは、移動装置９０Ｂによって配置位置を移動される。
本実施例による空気清浄フィルタ８０Ｂについても、空気清浄フィルタ８０Ａと同様に、エアフィルタ７０より通風抵抗が大きく、エアフィルタ７０を通過するような微粒子を捕獲することを目的としたフィルタであり、プリーツ式や不織布式が好ましい。
移動装置９０Ｂは、モータ９１と歯車９２とで構成されるものを図示していないが、空気清浄フィルタ８０Ｂの形状を変形させることなく、空気清浄フィルタ８０Ｂの配置位置を移動させるという機能については移動装置９０Ａと同様である。
【００３４】
図４から図６を用いて、以下に空気清浄フィルタ８０Ｂの動作を説明する。なお、本実施例についても、第１の運転モード及び第２の運転モードでは、いずれも上下風向変更羽根５１は吹出口１２を開いた状態にあるが、図４から図６では、いずれも空気清浄フィルタ８０Ｂの動作だけを示している。
【００３５】
図４は、空気調和機の空調運転停止時及び第１の運転モード時を示している。
空調運転停止時及び第１の運転モード時の状態においては、複数枚の空気清浄フィルタ８０Ｂの全てが、本体１内に並列に、略空気流路６０外に収納されている。
収納状態では、空気清浄フィルタ８０Ｂは、前面パネル２の内方に並列に配置されている。従って、空気清浄フィルタ８０Ｂは、エアフィルタ７０の上流側の空気流路６０を覆わない。この状態では、空気清浄機能は働かない。
【００３６】
図５及び図６は、空気調和機の第２の運転モード時を示している。
図５では、１枚の空気清浄フィルタ８０Ｂが、エアフィルタ７０の上流側の吸込口１１、すなわち、空気流路６０の一部を覆い、図６では、３枚の空気清浄フィルタ８０Ｂの全てが、エアフィルタ７０の上流側の吸込口１１、すなわち、空気流路６０を覆っている。
図６の状態では、３枚の空気清浄フィルタ８０Ｂは、吸込口１１、すなわち、空気流路６０に直列に配列される。
【００３７】
移動装置９０Ｂを正方向動作させることで、１枚の空気清浄フィルタ８０Ｂは、図４の状態から図５の状態に回動し、形状が変形することなく、配置されているそのままの形状で配置位置が移動し、更に移動装置９０Ｂを正方向動作させることで、残りの２枚の空気清浄フィルタ８０Ｂは、図５の状態から図６の状態に回動し、形状が変形することなく、配置されているそのままの形状で配置位置が移動する。つまり、吸込口１１、すなわち、空気流路６０を覆う流路面積が大きくなる方向に、空気清浄フィルタ８０Ｂは配置移動する。
また、移動装置９０Ｂを逆方向動作させることで、２枚の空気清浄フィルタ８０Ｂは、図６の状態から図５の状態に回動し、形状が変形することなく、配置されているそのままの形状で配置位置が移動し、更に移動装置９０Ｂを逆方向動作させることで、残りの１枚の空気清浄フィルタ８０Ｂは、図５の状態から図４の状態に回動し、形状が変形することなく、配置されているそのままの形状で配置位置が移動する。つまり、吸込口１１、すなわち、空気流路６０を覆う流路面積が小さくなる方向に、空気清浄フィルタ８０Ｂは配置移動する。
【００３８】
塵埃検知センサ１１０による検知結果で清浄するか否かを判断して、移動装置９０Ｂが、空気清浄フィルタ８０Ｂの配置位置を図４の状態と図６の状態とで移動させるものであってもよいが、塵埃検知センサ１１０による検知結果で、空気の清浄度合いを更に判断して、第２の運転モードを、図５に示す空気清浄フィルタ８０Ｂの配置位置と、図６に示す空気清浄フィルタ８０Ｂの配置位置とに切り替えてもよい。
また、空気清浄運転を指示する操作スイッチ１０３で、強運転と弱運転との切り替えを指示できるようにして、強運転が指示された場合には図６に示す空気清浄フィルタ８０Ｂの配置位置とし、弱運転が指示された場合には図５に示す空気清浄フィルタ８０Ｂの配置位置としてもよい。
また、本実施例では、第２の運転モードにおける空気清浄フィルタ８０Ｂの配置位置を、図５の状態と図６の状態との２段階で説明したが、３段階の配置位置とすることもでき、更には空気清浄フィルタ８０Ｂを４枚以上で構成し、３段階以上の配置位置としてもよい。
本実施例によれば、空気清浄フィルタ８０Ｂを、限られた空間に収納できるとともに、空気の清浄度合いに応じて空気清浄機能運転の実行の切り替えを行うことができる。
【産業上の利用可能性】
【００３９】
本発明の空気調和機は、空気清浄フィルタをエアフィルタとは別体とすることでエアフィルタと空気清浄フィルタとを別個に交換でき、移動装置によって空気清浄フィルタを移動させることで、必要に応じて空気清浄機能を有効にさせることができる。
【符号の説明】
【００４０】
１  本体
２  前面パネル
１１  吸込口
１２  吹出口
１３  後面
２０  ファン
３０  熱交換器
４０  下流空気流路
４１  リアガイダ
４２  スタビライザ
５１  上下風向変更羽根
５２  左右風向変更羽根
６０  空気流路
７０  エアフィルタ
８０Ａ、８０Ｂ  空気清浄フィルタ
８１  ラック
９０Ａ、９０Ｂ  移動装置
９１  モータ
９２  歯車
１００  操作装置
１０１、１０２、１０３  操作スイッチ
１１０  塵埃検知センサ
【図１】
2018151081.tif 000003
【図２】
2018151081.tif 000004
【図３】
2018151081.tif 000005
【図４】
2018151081.tif 000006
【図５】
2018151081.tif 000007
【図６】
2018151081.tif 000008